(57)【特許請求の範囲】
【請求項１】
文字情報表示のためのクローズドキャプションデータが所定期間に重畳された入力映像信号を記録する映像信号記録装置であって、
前記記録装置の動作内容を判別する動作判別手段と、
前記映像信号の記録又は記録一時停止解除の動作が開始されたときに、前記クローズドキャプションデータの表示をリセットするための制御コードデータを前記クローズドキャプションデータとして挿入する制御コードデータ挿入手段と、
を備えたことを特徴とする映像信号記録装置。
【請求項２】
前記入力映像信号中の前記クローズドキャプションデータを検出するキャプションデータ検出手段を備え、
前記制御コードデータ挿入手段は、前記入力映像信号に前記クローズドキャプションデータが重畳されており、かつ前記映像信号の記録又は記録一時停止解除の動作が開始されたとき、前記制御コードデータを前記クローズドキャプションデータとして挿入することを特徴とする請求項１記載の映像信号記録装置。
【請求項３】
前記制御コードデータ挿入手段は、前記映像信号の記録又は記録一時停止解除の動作開始時の１フレームに対して、前記制御コードデータを前記クローズドキャプションデータとして挿入することを特徴とする請求項１又は２記載の映像信号記録装置。
【請求項４】
前記制御コードデータを格納する制御コードデータ格納手段と、
前記映像信号の記録又は記録一時停止解除の動作開始時において、前記制御コードデータ格納手段から前記制御コードデータを読み出して前記制御コードデータ挿入手段へ送るための制御信号を出力する挿入制御手段と、
を備えたことを特徴とする請求項１乃至３のいずれか一に記載の映像信号記録装置。
【請求項５】
前記映像信号の記録又は記録一時停止解除の動作開始時において、前記制御コードデータ挿入手段に対して前記制御コードデータの挿入を指示する制御信号を送出する挿入制御手段を備えたことを特徴とする請求項４に記載の映像信号記録装置。
【請求項６】
前記入力映像信号を符号化する符号化手段を備え、前記制御コードデータ挿入手段は、この符号化手段において入力映像信号の符号化の際に前記クローズドキャプションデータとして前記制御コードデータを挿入することを特徴とする請求項１乃至３のいずれか一に記載の映像信号記録装置。
【請求項７】
文字情報表示のためのクローズドキャプションデータが所定期間に重畳された入力映像信号を記録する映像信号記録方法であって、
動作内容を判別する動作判別手順と、
前記映像信号の記録又は記録一時停止解除の動作が開始されたときに、前記クローズドキャプションデータの表示をリセットするための制御コードデータを前記クローズドキャプションデータとして挿入する制御コードデータ挿入手順と、
を有することを特徴とする映像信号記録方法。
【請求項８】
前記入力映像信号中の前記クローズドキャプションデータを検出するキャプションデータ検出手順を備え、
前記制御コードデータ挿入手順は、前記入力映像信号に前記クローズドキャプションデータが重畳されており、かつ前記映像信号の記録又は記録一時停止解除の動作が開始されたとき、前記制御コードデータを前記クローズドキャプションデータとして挿入することを特徴とする請求項７記載の映像信号記録方法。
【請求項９】
前記制御コードデータ挿入手順では、前記映像信号の記録又は記録一時停止解除の動作開始時の１フレームに対して、前記制御コードデータを前記クローズドキャプションデータとして挿入することを特徴とする請求項７又は８記載の映像信号記録方法。
【請求項１０】
前記入力映像信号を符号化する符号化手順を有し、前記制御コードデータ挿入手順では、前記映像信号の記録又は記録一時停止解除の動作開始時において、前記符号化手順で入力映像信号を符号化する際に前記クローズドキャプションデータとして前記制御コードデータを挿入することを特徴とする請求項７乃至９のいずれか一に記載の映像信号記録方法。
【発明の詳細な説明】
【０００１】
【発明の属する技術分野】
本発明は、クローズドキャプションの文字情報が多重された入力映像信号を記録媒体に記録する映像信号記録装置及び方法に関する。
【０００２】
【従来の技術】
米国では、難聴者の人々が健常者と同様にテレビ放送を理解して楽しむことができるようにする目的で、音声の内容を文字情報にして映像信号に多重化し、この文字情報を字幕として表示するクローズドキャプション（Closed Caption）・システムが放送やビデオテープなどに採用されている。
【０００３】
クローズドキャプションでは、映像信号の各フィールドの垂直帰線期間において例えば２１番目の走査線に、１６ビット（２文字分）の文字情報等を重畳するようになっている。そして、クローズドキャプション対応のテレビジョン受信装置やビデオテープレコーダには、クローズドキャプション用のデコーダを備えており、このデコーダによって映像信号に多重された情報（クローズドキャプションデータ、以下「ＣＣデータ」と記載する）を抽出し、ＣＣデータに対応する文字コードのキャラクタ信号を生成して表示映像にスーパーインポーズ表示するようになっている。このようなクローズドキャプション用のデコーダ装置の一例が、特許第２６５７１４６号、特開平７−２８８７８５号公報などに開示されている。
【０００４】
クローズドキャプションにおけるＣＣデータは、文字コードの他に、表示文字の色などの属性、文字の位置（行及び列）、文字表示開始や文字消去のタイミングなどを指定するコマンドを表す制御コードが定義されている。例えば、クローズドキャプション対応のテレビジョン受信装置において、ＣＣデータによる文字表示開始のコマンドを受けると、その後に検出されるＣＣデータに対応する文字情報が画面上に表示される。そして、文字消去のコマンドを受けると、表示された文字情報は消去され、次に文字表示開始のコマンドを受けたときに文字情報の表示が開始される。
【０００５】
【発明が解決しようとする課題】
ビデオテープレコーダ等において上記のようなクローズドキャプションの文字情報が多重された映像信号を録画する場合、録画一時停止／解除の動作を行うと、記録されるＣＣデータが不連続となる。例えば一般に普及しているＶＨＳ方式のビデオテープレコーダでは、磁気テープの各トラックに映像同期信号に従ってアナログ映像信号を記録するため、ＣＣデータはアナログ映像信号の一部として記録されるようになっている。よって、録画開始直後や一時停止解除直後は、直前まで入力されていたＣＣデータが記録されず、ＣＣデータの連続性が失われてしまう。このように録画一時停止／解除等を行って録画したテープ等を連続して再生し、クローズドキャプション対応のテレビジョン受信装置で表示すると、文字情報表示が乱れるという不具合を有していた。
【０００６】
図６はクローズドキャプションを含む映像信号の録画一時停止／解除を行う際の動作例を示した説明図である。図６において、ＣＣデータ中の数字はフレームの時系列の番号を示し、１フレームに２文字分の文字情報が送られる様子を簡単に例示している。連続的に入力されているＣＣデータ付きの入力映像を録画する際に、録画一時停止（ポーズ）／一時停止解除（ポーズ解除）を行うと、録画媒体においては録画映像の切れ目であるポーズ点の前後で不連続にＣＣデータが記録されることになる。この場合、記録されているＣＣデータが途中で途切れたり、ＣＣデータの途中から記録されたりする。録画映像を再生する際に、前記のように記録されたＣＣデータをデコードして文字表示を行うと、不完全な文字や単語が連結された意味不明の文字列が表示されてしまうことがあった。
【０００７】
本発明は、上記事情に鑑みてなされたもので、クローズドキャプションの文字情報が多重された映像信号を記録する際、記録開始直後や記録一時停止解除を行ったときなどのクローズドキャプションデータが不連続となる場合においても、再生時の文字情報表示の不具合を防止することが可能な映像信号記録装置及び方法を提供することを目的とする。
【０００８】
【課題を解決するための手段】
本発明は、第１に、文字情報表示のためのクローズドキャプションデータが所定期間に重畳された入力映像信号を記録する映像信号記録装置であって、前記記録装置の動作内容を判別する動作判別手段と、前記映像信号の記録又は記録一時停止解除の動作が開始されたときに、前記クローズドキャプションデータの表示をリセットするための制御コードデータを前記クローズドキャプションデータとして挿入する制御コードデータ挿入手段と、を備えたことを特徴とする。
【０００９】
また好ましくは、第２に、上記第１の構成において、前記入力映像信号中の前記クローズドキャプションデータを検出するキャプションデータ検出手段を備え、前記制御コードデータ挿入手段は、前記入力映像信号に前記クローズドキャプションデータが重畳されており、かつ前記映像信号の記録又は記録一時停止解除の動作が開始されたとき、前記制御コードデータを前記クローズドキャプションデータとして挿入することを特徴とする。
【００１０】
また好ましくは、第３に、上記第１又は第２の構成において、前記制御コードデータ挿入手段は、前記映像信号の記録又は記録一時停止解除の動作開始時の１フレームに対して、前記制御コードデータを前記クローズドキャプションデータとして挿入することを特徴とする。
【００１１】
上記構成において、映像信号の記録又は記録一時停止解除の動作が開始されたときに、クローズドキャプションデータの表示をリセットするための制御コードデータ、例えば表示されている文字情報を消去するための「クリア」を示す制御コードデータを挿入する。これにより、録画動作を開始した直後又は直前、及び録画の一時停止を解除した直後又は直前のフレームにおいて、クローズドキャプションデータとして上記制御コードデータが挿入されて映像信号と共に記録されるため、クローズドキャプションデータが不連続となった場合の文字情報の再生表示における不具合が防止される。例えば、このクローズドキャプションデータ付きの録画映像信号を再生した場合には、制御コードデータが挿入されたフレームにおいてクローズドキャプションの文字情報表示が一旦リセットされる。そして次のフレームから新たにクローズドキャプションデータがデコードされて対応する文字情報が順次表示されることになるため、不連続なクローズドキャプションデータが連結されて表示されたりすることなく、常に正常で乱れのないクローズドキャプション表示が行われる。
【００１２】
また好ましくは、第４に、上記第１乃至第３のいずれか一の構成において、前記制御コードデータを格納する制御コードデータ格納手段と、前記映像信号の記録又は記録一時停止解除の動作開始時において、前記制御コードデータ格納手段から前記制御コードデータを読み出して前記制御コードデータ挿入手段へ送るための制御信号を出力する挿入制御手段と、を備えたことを特徴とする。
【００１３】
上記構成では、例えばアナログの映像信号を録画するビデオテープレコーダなどにおいて、制御信号に基づき、映像信号の記録又は記録一時停止解除の動作開始時において、格納された制御コードデータを読み出してクローズドキャプションデータとして挿入して映像信号と共に記録する。これにより、録画動作を開始した直後又は直前、及び録画の一時停止を解除した直後又は直前のフレームにおいて、クローズドキャプションデータとして上記制御コードデータが挿入されて映像信号と共に記録されるため、クローズドキャプションデータが不連続となった場合の文字情報の再生表示における不具合が防止される。
【００１４】
あるいは、第５に、上記第４の構成において、前記映像信号の記録又は記録一時停止解除の動作開始時において、前記制御コードデータ挿入手段に対して前記制御コードデータの挿入を指示する制御信号を送出する挿入制御手段を備えたことを特徴とする。
【００１５】
さらに好ましくは、第６に、上記第１乃至第３のいずれか一の構成において、前記入力映像信号を符号化する符号化手段を備え、前記制御コードデータ挿入手段は、この符号化手段において入力映像信号の符号化の際に前記クローズドキャプションデータとして前記制御コードデータを挿入することを特徴とする。
【００１６】
上記構成では、例えばＭＰＥＧ方式などによりディジタルの映像信号データに符号化して記録するＤＶＤ−ＲＷなどの情報記録装置において、映像信号の記録又は記録一時停止解除の動作開始時に、制御コードデータの挿入を指示する制御信号を送出し、クローズドキャプションデータとして制御コードデータを挿入する。このとき、例えば入力映像信号を符号化する符号化手段において、入力映像信号の符号化の際に制御コードデータを挿入する。これにより、録画動作を開始した直後又は直前、及び録画の一時停止を解除した直後又は直前のフレームにおいて、クローズドキャプションデータとして上記制御コードデータが挿入されて映像信号と共に記録されるため、クローズドキャプションデータが不連続となった場合の文字情報の再生表示における不具合が防止される。
【００１７】
また本発明は、第７に、文字情報表示のためのクローズドキャプションデータが所定期間に重畳された入力映像信号を記録する映像信号記録方法であって、動作内容を判別する動作判別手順と、前記映像信号の記録又は記録一時停止解除の動作が開始されたときに、前記クローズドキャプションデータの表示をリセットするための制御コードデータを前記クローズドキャプションデータとして挿入する制御コードデータ挿入手順と、を有することを特徴とする。
【００１８】
また好ましくは、第８に、上記第７の手順において、前記入力映像信号中の前記クローズドキャプションデータを検出するキャプションデータ検出手順を備え、前記制御コードデータ挿入手順は、前記入力映像信号に前記クローズドキャプションデータが重畳されており、かつ前記映像信号の記録又は記録一時停止解除の動作が開始されたとき、前記制御コードデータを前記クローズドキャプションデータとして挿入することを特徴とする。
【００１９】
上記手順において、映像信号の記録又は記録一時停止解除の動作が開始されたときに、クローズドキャプションデータの表示をリセットするための制御コードデータ、例えば表示されている文字情報を消去するための「クリア」を示す制御コードデータを挿入する。これにより、録画動作を開始した直後又は直前、及び録画の一時停止を解除した直後又は直前のフレームにおいて、クローズドキャプションデータとして上記制御コードデータが挿入されて映像信号と共に記録されるため、クローズドキャプションデータが不連続となった場合の文字情報の再生表示における不具合が防止される。
【００２０】
また好ましくは、第９に、上記第７又は第８の手順において、前記制御コードデータ挿入手順では、前記映像信号の記録又は記録一時停止解除の動作開始時の１フレームに対して、前記制御コードデータを前記クローズドキャプションデータとして挿入することを特徴とする。
【００２１】
上記手順では、例えばアナログの映像信号を録画するビデオテープレコーダなどにおいて、制御信号に基づき、映像信号の記録又は記録一時停止解除の動作開始時の１フレームに対して、格納された制御コードデータを読み出してクローズドキャプションデータとして挿入して映像信号と共に記録する。これにより、録画動作を開始した直後又は直前、及び録画の一時停止を解除した直後又は直前のフレームにおいて、クローズドキャプションデータとして上記制御コードデータが挿入されて映像信号と共に記録されるため、クローズドキャプションデータが不連続となった場合の文字情報の再生表示における不具合が防止される。
【００２２】
あるいは、第１０に、上記第７乃至第９のいずれか一の手順において、前記入力映像信号を符号化する符号化手順を有し、前記制御コードデータ挿入手順では、前記映像信号の記録又は記録一時停止解除の動作開始時において、前記符号化手順で入力映像信号を符号化する際に前記クローズドキャプションデータとして前記制御コードデータを挿入することを特徴とする。
【００２３】
上記手順では、例えばＭＰＥＧ方式などによりディジタルの映像信号データに符号化して記録するＤＶＤ−ＲＷなどの情報記録装置において、映像信号の記録又は記録一時停止解除の動作開始時に、制御コードデータの挿入を指示する制御信号を送出し、クローズドキャプションデータとして制御コードデータを挿入する。このとき、例えば入力映像信号を符号化する符号化手段において、入力映像信号の符号化の際に制御コードデータを挿入する。これにより、録画動作を開始した直後又は直前、及び録画の一時停止を解除した直後又は直前のフレームにおいて、クローズドキャプションデータとして上記制御コードデータが挿入されて映像信号と共に記録されるため、クローズドキャプションデータが不連続となった場合の文字情報の再生表示における不具合が防止される。
【００２４】
【発明の実施の形態】
以下、図面を参照して本発明の実施の形態を説明する。
図１は本発明の第１実施形態に係る映像信号記録装置１００の主要部の構成を示すブロック図である。この映像信号記録装置は、映像信号をビデオテープ（図示しない）に記録するビデオテープレコーダを構成している。
【００２５】
本実施形態の映像信号記録装置１００は、後で詳述するＣＣデータ検出・挿入部１１、ＣＣデータ挿入制御部１２、ＣＣデータ格納メモリ１３を備えると共に、装置全体を制御するマイクロコンピュータ（ＭＰＵ）等からなる制御部１４、リモコン１７からのリモコン制御信号を受信するリモコン受光部１５、各種操作指示入力を行うスイッチ等からなる操作部１６、ビデオテープ（図示しない）にＣＣデータ検出・挿入部１１から出力された映像信号を記録する記録部１８を備えて構成される。
【００２６】
ＣＣデータ検出・挿入部１１は、入力される映像信号中のクローズドキャプションデータ（ＣＣデータ）を検出してその検出結果を制御部１４に伝達すると共に、映像記録に関する所定の動作時にＣＣデータを挿入して出力する。通常は映像信号と共に重畳されたＣＣデータがそのまま出力されるが、記録開始直後や一時停止解除直後は、ＣＣデータ格納メモリ１３から読み出された所定の制御コードを表すＣＣデータを挿入して出力する。すなわち、このＣＣデータ検出・挿入部１１はキャプションデータ検出手段と制御コードデータ挿入手段の機能を有している。
【００２７】
ＣＣデータ挿入制御部１２は、挿入制御手段の機能を有しており、制御部１４からの命令に従って、入力される映像信号のタイミングに基づき、ＣＣデータ検出・挿入部１１でのＣＣデータ挿入動作制御用の制御信号Ａと、ＣＣデータ格納メモリ１３のＣＣデータ読み出し動作制御用の制御信号Ｂとを生成する。ＣＣデータ格納メモリ１３は、制御コードデータ格納手段としての機能を有しており、映像信号記録時にＣＣデータが不連続となった場合に文字情報の再生表示における不具合を防止するために、文字情報の表示をリセットするための制御コードデータとして、例えば「クリア」を示す２バイトの制御コードデータを格納する。このＣＣデータ格納メモリ１３はＲＯＭで構成したり、書き換え可能なようにＲＡＭ等で構成してもよい。
【００２８】
図２は映像信号に重畳されるＣＣデータとＣＣデータ挿入制御部１２で生成される制御信号のタイミングを示したタイムチャートである。図２の（Ａ），（Ｂ）に示すように、ＣＣデータは映像信号の第１フィールドの２１番目の走査線（ライン２１）又は第２フィールドの２８４番目の走査線（ライン２８４）に多重化される。図２の（Ｃ）はＣＣデータが重畳される走査線部分を拡大して示したものである。ＣＣデータが重畳される走査線（ＣＣデータ信号と呼ぶことにする）は、水平同期信号とカラーバースト信号の後に、クロック・ラン・イン（５０３ｋＨｚ）、スタートコード、１６ビットのキャラクタコードが設けられてなる。キャラクタコードは、８ビットで１文字、計２つの文字を示すコードであり、キャラクタ１とキャラクタ２のそれぞれは７ビットのアスキー・コードと１ビットのパリティ・コードの組み合わせからなっている。
【００２９】
制御信号Ａは、入力される映像信号のうち、ＣＣデータが重畳されている水平ラインを指し示すタイミング信号であり、該当する走査線におけるクロック・ラン・インの先頭からキャラクタコードの終端までの期間でローレベルとなる。制御信号Ｂは、ＣＣデータが重畳されている水平ラインのうち、実際にデータが重畳されている部分を指し示すタイミング信号であり、キャラクタコードの先頭から終端までの期間でローレベルとなる。ＣＣデータ検出・挿入部１１は、制御信号Ａに従ってＣＣデータ信号の中のクロック・ラン・イン及びスタートコードの有無を検出して、制御部１４にＣＣデータの重畳の有無を示すＣＣデータ検出信号を送出する。また、制御信号Ｂに従って、ＣＣデータ格納メモリ１３は制御コードデータを読み出し、ＣＣデータ検出・挿入部１１は読み出された制御コードデータをＣＣデータとして挿入する。
【００３０】
次に、図３を用いて本実施形態の映像信号記録装置の動作を説明する。ここでは、映像信号を記録する際のＣＣデータ制御について制御部１４の動作を中心に説明する。この制御部１４は、動作判別手段の機能を有しており、映像信号の記録動作に応じてＣＣデータ挿入制御部１２へ制御信号生成の命令を出力するようになっている。
【００３１】
始めに、ステップＳ１で、制御部１４はリモコン受光部１５で受けたリモコン１７からのリモコン制御信号や操作部１６のユーザ操作による操作指示入力などで指示される動作命令の内容を判定する。動作命令が録画開始又は録画一時停止解除の場合はステップＳ２以降に進み、その他の命令の場合はステップＳ６に進んでその動作命令に対する処理を行う。
【００３２】
例えば録画開始の命令を受けると、ステップＳ２で、制御部１４はＣＣデータ挿入制御部１２に制御信号Ａの発行を命令し、ＣＣデータ検出・挿入部１１においてＣＣデータの有無の検出を行う。そして、ＣＣデータ検出・挿入部１１からのＣＣデータ検出信号によって、入力される映像信号にＣＣデータが重畳されているか否かを判断する。ＣＣデータが重畳されている場合はステップＳ３以降に進み、制御部１４はＣＣデータにおいて制御コードデータの挿入を行うために、ＣＣデータ挿入制御部１２に制御信号Ｂの発行を命令し、ＣＣデータ検出・挿入部１１に制御コードデータの挿入許可を命令する。
【００３３】
ステップＳ３では、ＣＣデータ挿入制御部１２からの制御信号Ｂに従い、ＣＣデータ格納メモリ１３より制御コードデータとして「クリア」を示す制御コードデータを読み出してＣＣデータ検出・挿入部１１に送出する。そしてステップＳ４で、制御部１４からの命令とＣＣデータ挿入制御部１２からの制御信号Ｂに従い、ＣＣデータ検出・挿入部１１において「クリア」の制御コードデータを録画動作開始時の１フレームに対して挿入し、この制御コードデータを挿入した映像信号を記録部１８へ出力する。次いでステップＳ５で、制御部１４が記録部１８に対して記録命令を発行することにより、出力した映像信号の記録が行われる。
【００３４】
なお、以上の動作は録画動作が一時停止された後の一時停止解除命令を受けた場合も同様に行われる。これにより、録画動作を開始した直後又は直前、及び録画の一時停止を解除した直後又は直前のフレームにおいて、ＣＣデータとして「クリア」を示す制御コードデータが挿入されて映像信号と共に記録される。
【００３５】
図４にクローズドキャプションを含む映像信号の録画一時停止／解除を行う際の動作例を示す。図４において、ＣＣデータ中の数字はフレームの時系列の番号を示し、１フレームに２文字分の文字情報が送られる様子を例示している。連続的に入力されているＣＣデータ付きの入力映像信号を録画する際に、録画一時停止（ポーズ）／一時停止解除（ポーズ解除）を行った場合、ＣＣデータが不連続となるポーズ点直後の１フレーム（同図においてフレーム＃３１）に対して「クリア」を示す２バイトの制御コードデータが挿入される。そして、次のフレーム＃３２からは入力された映像信号に重畳されているＣＣデータをＣＣデータ検出・挿入部１１からそのまま記録部１８へ出力して記録する。なお、通常のＣＣデータにおいては、セリフなどの文章が次に移るタイミングの所定数のフレームごとに「クリア」を示す制御コードデータが挿入されており、表示画面上の文字情報が書き換えられるようになっている。
【００３６】
このように本実施形態では、録画開始直後及び録画一時停止解除の直後に、ＣＣデータとして「クリア」を示す制御コードデータを挿入して記録することによって、ＣＣデータが不連続となった場合の文字情報の再生表示における不具合を防止できる。このＣＣデータ付きの録画映像信号を再生した場合には、「クリア」を示す制御コードデータが挿入されたフレームにおいてクリアコマンドが出力され、クローズドキャプションの文字情報表示が一旦クリアされて消去される。そして次のフレームから新たにＣＣデータがデコードされて対応する文字情報が順次表示される。これによって、不連続なＣＣデータが連結されて表示されたりすることなく、常に正常で乱れのないクローズドキャプション表示が可能となる。
【００３７】
図５は本発明の第２実施形態に係る映像信号記録装置２００の主要部の構成を示すブロック図である。この第２実施形態では、入力映像信号をＭＰＥＧ方式により符号化し、この符号化したディジタルの映像データをＤＶＤ−ＲＷなどのディスク状光記録媒体に記録する場合の構成例を示す。
【００３８】
映像信号記録装置２００は、入力されたアナログの映像信号をディジタル信号に変換するＡ／Ｄ変換器２１、前記映像信号に重畳されたＣＣデータを検出するＣＣデータ検出部２２、装置全体を制御するマイクロコンピュータ（ＭＰＵ）等からなる制御部２３、ＭＰＥＧ方式のディジタル圧縮映像データへの符号化を行うＭＰＥＧエンコーダ２４、光記録媒体２７への記録用信号を生成する記録回路２５、レーザ光を発光して光記録媒体２７へ映像データを光学的に記録するピックアップ２６を備えて構成される。
【００３９】
ＭＰＥＧエンコーダ２４は、ＭＰＥＧ方式のエンコード機能と共にＣＣデータの挿入機能を有しており、ＭＰＥＧ方式のディジタル圧縮映像データにおいて、予め用意された所定の位置にＣＣデータを付加するようになっている。すなわち、ＭＰＥＧエンコーダ２４は符号化手段と制御コードデータ挿入手段の機能を有している。
【００４０】
映像信号を記録する際には、入力された映像信号をＡ／Ｄ変換器２１でディジタル信号に変換した後、ＭＰＥＧエンコーダ２４においてＭＰＥＧ方式のディジタル圧縮映像データにエンコードする。そして、この映像データを基にして記録回路２５で記録媒体のフォーマットに応じた記録用信号を生成し、ピックアップ２６によって光記録媒体２７へ光学的に映像データを記録する。
【００４１】
このとき、ＣＣデータ検出部２２で映像信号に重畳されたＣＣデータを検出し、制御部２３によって第１実施形態と同様に録画動作に応じたＣＣデータの挿入制御を行う。すなわち、制御部２３は動作判別手段と挿入制御手段の機能を有している。リモコンや操作部からの動作命令として録画開始又は録画一時停止解除を受けた場合、制御部２３はＣＣデータ検出部２２からのＣＣデータ検出信号によってＣＣデータの有無を判断し、ＣＣデータが重畳されている場合は、ＭＰＥＧエンコーダ２４へ制御コードデータ挿入信号を送出する。ＭＰＥＧエンコーダ２４は制御コードデータ挿入信号を受けると、ＣＣデータとして「クリア」を示す制御コードデータを副情報として挿入する。
【００４２】
これにより、録画動作が開始された直後及び録画動作の一時停止が解除された直後のフレームにおいて「クリア」を示す制御コードデータが挿入され、この制御コードデータを含む映像データが光記録媒体２７に記録される。この次のフレームからは、入力された映像信号に重畳されているＣＣデータをそのままＭＰＥＧエンコーダ２４において付加し、このＣＣデータを含む映像データを光記録媒体２７に記録する。
【００４３】
このようにディジタル化した映像信号においても、ＣＣデータが不連続となった場合に制御コードデータを挿入して記録することで、直前のフレームまでのＣＣデータによるクローズドキャプションの文字情報表示が一旦クリアされるようにする。これによって、不連続なＣＣデータの文字情報が連結されて表示されるような表示の乱れを無くすことができ、常に正常なクローズドキャプション表示が可能となる。
【００４４】
なお、上記実施形態では映像信号の記録方式の一例を示したが、アナログ映像信号の記録、ディジタル映像信号の記録、磁気記録、光磁気記録、光記録、テープ状媒体への記録、ディスク状媒体への記録、半導体メモリへの記録など、あらゆる記録媒体への映像信号の記録方式に適用可能である。
【００４５】
【発明の効果】
以上説明したように本発明によれば、映像信号の記録又は記録一時停止解除の動作が開始されたときに、クローズドキャプションデータの表示をリセットするための制御コードデータ、例えば表示されている文字情報を消去するための「クリア」を示す制御コードデータを挿入したので、記録または一時停止によりクローズドキャプションデータが不連続となる場合においても、再生時に不連続なクローズドキャプションデータが連結されて表示されたりすることなく、常に正常で乱れのないクローズドキャプション表示を行うことが可能である。
【図面の簡単な説明】
【図１】本発明の第１実施形態に係る映像信号記録装置の主要部の構成を示すブロック図である。
【図２】映像信号に重畳されるＣＣデータとＣＣデータ制御部で生成される制御信号のタイミングを示したタイムチャートである。
【図３】本実施形態の映像信号記録装置の動作を示すフローチャートである。
【図４】本実施形態においてクローズドキャプションを含む映像信号の録画一時停止／解除を行う際の動作例を示した説明図である。
【図５】本発明の第２実施形態に係る映像信号記録装置の主要部の構成を示すブロック図である。
【図６】従来例においてクローズドキャプションを含む映像信号の録画一時停止／解除を行う際の動作を示した説明図である。
【符号の説明】
１１  ＣＣデータ検出・挿入部
１２  ＣＣデータ制御部
１３  ＣＣデータ格納メモリ
１４，２３  制御部
１５  リモコン受光部
１６  操作部
１７  リモコン
１８  記録部
２１  Ａ／Ｄ変換器
２２  ＣＣデータ検出部
２４  ＭＰＥＧエンコーダ
２５  記録回路
２６  ピックアップ
２７  光記録媒体
１００，２００  映像信号記録装置
【図１】
0004255220.tif 000002
【図２】
0004255220.tif 000003
【図３】
0004255220.tif 000004
【図４】
0004255220.tif 000005
【図５】
0004255220.tif 000006
【図６】
0004255220.tif 000007